(57)【要約】【課題】各短冊状部を各根太間空間に設置して放熱シートを設けることを容易にできる放熱シート床下設置方法を提供する。【解決手段】熱媒体を通す単一の暖房用配管２３が互いに掛け渡して設けられた複数の長尺な短冊状部２５を備え、各短冊状部２５が幅方向Ｄｗで並列され、各短冊状部２５において長尺方向Ｄｌの一端側に暖房用配管２３が折り返される折返箇所２３ａが設けられるとともに長尺方向Ｄｌの他端側に暖房用配管２３が隣接する短冊状部２５へと伸びる出入箇所２３ｂが設けられた放熱シート２１を、床下空間８に設置する放熱シート床下設置方法である。長尺方向Ｄｌで並列する複数の小梁１２の上方で、幅方向Ｄｗに並列する複数の根太１３の間の各根太間空間１５に、折返箇所２３ａ側から小梁１２の上を滑らせつつ全ての短冊状部２５を挿入する挿入工程を行う。【選択図】図６
2020122643.tif 000002
【特許請求の範囲】
【請求項１】
熱媒体を通す単一の暖房用配管が互いに掛け渡して設けられた複数の長尺な短冊状部を備え、各前記短冊状部がその長尺方向に直交する幅方向で並列され、各前記短冊状部において前記長尺方向の一端側に前記暖房用配管が折り返される折返箇所が設けられるとともに前記長尺方向の他端側に前記暖房用配管が隣接する前記短冊状部へと伸びる出入箇所が設けられた放熱シートを、床下空間に設置する放熱シート床下設置方法であって、
前記長尺方向で並列する複数の小梁の上方で前記幅方向に並列する複数の根太の間の各根太間空間に、前記折返箇所側から前記小梁の上を滑らせつつ全ての前記短冊状部を挿入する挿入工程を行うことを特徴とする放熱シート床下設置方法。
【請求項２】
前記挿入工程の後であって、前記小梁の間の各梁間空間に、断熱材を充填する充填工程を行うことを特徴とする請求項１に記載の放熱シート床下設置方法。
【請求項３】
前記充填工程の後であって、各前記梁間空間の下方において、複数の前記小梁を前記長尺方向に掛け渡しつつ前記幅方向に並列させて複数の木桟を設ける支持工程を行うことを特徴とする請求項２に記載の放熱シート床下設置方法。
【請求項４】
前記放熱シートは、前記幅方向で並列された複数の前記短冊状部が、前記長尺方向で前記出入箇所を向き合わせて前記長尺方向で対を為して設けられ、
前記挿入工程では、前記長尺方向で対を為す前記短冊状部を、前記長尺方向で近接する位置から互いに離間するように前記折返箇所側から各前記根太間空間に挿入することを特徴とする請求項１から請求項３までのいずれか１項に記載の放熱シート床下設置方法。
【発明の詳細な説明】
【技術分野】
【０００１】
本開示は、建物の床下空間に放熱シートを設置する放熱シート床下設置方法に関する。
【背景技術】
【０００２】
建物において、床下空間に放熱シートを設け、輻射熱や床部を介する伝導熱や暖められた床下空間の空気の熱により、床や室内を暖めるものがある。この放熱シートは、効率良く暖めるために、暖房用配管（温水パイプ）が設けられた短冊状部（放熱マット）を床部における根太の間（根太間空間）のそれぞれに設置することが考えられている（例えば、特許文献１参照）。この放熱シートは、各短冊状部の暖房用配管を連結可能な構成として、各短冊状部の根太間空間への設置の後に暖房用配管を連結することで、各根太間空間に短冊状部を設置しつつそれぞれの暖房用配管を連結した状態として床下空間に設けている。
【先行技術文献】
【特許文献】
【０００３】
【特許文献１】特開２０００−３５２２５号公報
【発明の概要】
【発明が解決しようとする課題】
【０００４】
しかしながら、上記した放熱シートは、床下空間において、各短冊状部を各根太間空間に設置した後に、それぞれの暖房用配管を連結する工程が必要となり、各短冊状部の設置を簡易にする観点から改良の余地がある。
【０００５】
本開示は、上記の事情に鑑みて為されたもので、各短冊状部を各根太間空間に設置して放熱シートを設けることを容易にできる放熱シート床下設置方法を提供することを目的とする。
【課題を解決するための手段】
【０００６】
上記した目的を達成するために、本開示の放熱シートは、熱媒体を通す単一の暖房用配管が互いに掛け渡して設けられた複数の長尺な短冊状部を備え、各前記短冊状部がその長尺方向に直交する幅方向で並列され、各前記短冊状部において前記長尺方向の一端側に前記暖房用配管が折り返される折返箇所が設けられるとともに前記長尺方向の他端側に前記暖房用配管が隣接する前記短冊状部へと伸びる出入箇所が設けられた放熱シートを、床下空間に設置する放熱シート床下設置方法であって、前記長尺方向で並列する複数の小梁の上方で前記幅方向に並列する複数の根太の間の各根太間空間に、前記折返箇所側から前記小梁の上を滑らせつつ全ての前記短冊状部を挿入する挿入工程を行うことを特徴とする。
【０００７】
ここで、前記挿入工程の後であって、前記小梁の間の各梁間空間に、断熱材を充填する充填工程を行う構成とすることができる。また、前記充填工程の後であって、各前記梁間空間の下方において、複数の前記小梁を前記長尺方向に掛け渡しつつ前記幅方向に並列させて複数の木桟を設ける支持工程を行う構成とすることができる。前記放熱シートは、前記幅方向で並列された複数の前記短冊状部が、前記長尺方向で前記出入箇所を向き合わせて前記長尺方向で対を為して設けられ、前記挿入工程では、前記長尺方向で対を為す前記短冊状部を、前記長尺方向で近接する位置から互いに離間するように前記折返箇所側から各前記根太間空間に挿入する構成とすることができる。
【発明の効果】
【０００８】
このように構成された本開示の放熱シートは、各短冊状部を各根太間空間に設置して放熱シートを設けることが容易にできる。
【０００９】
ここで、前記挿入工程の後であって、前記小梁の間の各梁間空間に、断熱材を充填する充填工程を行う構成であれば、充填工程も、床下空間において各梁間空間に断熱材を充填するだけであるので、各断熱材の設置を簡易としつつ各短冊状部からの熱が床下空間に漏れることを極力防止でき、各放熱シートで放出した熱を効率良く利用させることができる。また、前記充填工程の後であって、各前記梁間空間の下方において、複数の前記小梁を前記長尺方向に掛け渡しつつ前記幅方向に並列させて複数の木桟を設ける支持工程を行う構成であれば、支持工程も、床下空間において各木桟を設けるだけであるので、各断熱材の支持を簡易にかつ確実なものとしつつ各短冊状部からの熱が床下空間に漏れることを極力防止できる。
【００１０】
前記放熱シートは、前記幅方向で並列された複数の前記短冊状部が、前記長尺方向で前記出入箇所を向き合わせて前記長尺方向で対を為して設けられ、前記挿入工程では、前記長尺方向で対を為す前記短冊状部を、前記長尺方向で近接する位置から互いに離間するように前記折返箇所側から各前記根太間空間に挿入する構成であれば、両外側へと拡げるように各短冊状部を各根太間空間へと挿入することで、単一の暖房用配管により連結された各短冊状部が長尺方向で対を為す構成の放熱シートを床下空間に設けることができる。これにより、放熱シート床下設置方法は、より広い範囲であっても、効率良く簡易な作業で各根太間空間に各短冊状部を設置することができる。
【図面の簡単な説明】
【００１１】
【図１】本開示に係る放熱シート床下設置方法の一例としての放熱シート床下設置方法により設置された放熱シートを備える床暖房システムの構成を模式的に示す説明図である。
【図２】床部の構成を示す説明図である。
【図３】放熱シートを上方から見た様子を示す説明図である。
【図４】放熱シートの短冊状部の構成を示す説明図である。
【図５】床上空間側から床板の下方を見た各根太間空間に各短冊状部が設置された様子を示す説明図である。
【図６】根太間空間に短冊状部を挿入する様子（挿入工程）を上下３つに分けて段階的に示す説明図である。
【図７】梁間空間に断熱材を充填する様子（充填工程）を示す説明図である。
【図８】各梁間空間の下方において、複数の小梁を長尺方向に掛け渡しつつ幅方向に並列させて複数の木桟を設ける様子（支持工程）を示す説明図である。
【図９】床下空間側から見た複数の木桟が設けられた様子を示す説明図である。
【発明を実施するための形態】
【００１２】
以下に、本開示に係る放熱シート床下設置方法の一例について、図面を参照しつつ説明する。
【実施例１】
【００１３】
本開示に係る実施例１の放熱シート床下設置方法により建物１の床下空間８に放熱シート２１を設置する様子（放熱シート床下設置構造）を、図１から図９を用いて説明する。放熱シート２１は、建物１の床下空間８を利用して室内や床を暖めるものであり、実施例１では、ユニット建物等の建物１に用いる床暖房システム２０を構成するものとされている。
【００１４】
建物１は、図１に示すように、断熱基礎として構築された基礎底盤コンクリート２と、その側縁から立ち上がる基礎側壁コンクリート３と、その上から立ち上がる外壁部４と、その外壁部４に囲まれた上端を塞ぐ天井部５と、を備える。建物１では、外壁部４と天井部５とに囲まれる空間に床部６が設けられ、上方の床上空間７と下方の床下空間８とに区切られている。床上空間７は、屋内に設けられる空間として機能する箇所で、複数の内壁部により区画されて居室や非居室等が設けられる。床下空間８は、基礎側壁コンクリート３の内側にグラスウール等の断熱材９が取り付けられ、内部の熱が屋外に極力漏れない断熱構造とされている。
【００１５】
床暖房システム２０は、床下空間８の床部６に設けられた放熱シート２１に、熱源としてのヒートポンプ２２が接続されて構成される。床暖房システム２０は、ヒートポンプ２２から伸びる暖房用配管２３が放熱シート２１の全域（後述する各短冊状部２５）を通りヒートポンプ２２へと戻る循環路を形成する。床暖房システム２０は、ヒートポンプ２２が空気中の熱エネルギーを吸収させた温水等の熱媒体を、放熱シート２１の全域を通る暖房用配管２３の循環路を循環させることで、放熱シート２１が設置された箇所の周辺に向けて放熱して床部６等を暖める。床暖房システム２０は、温度設定等の所望の運転を設定するためのコントローラ２４を有し、放熱シート２１が設けられた床下空間８の上の居室空間等の床上空間７にコントローラ２４が適宜設けられる。
【００１６】
床部６は、図２に示すように、矩形状に設けられた大梁１１の内側に複数の小梁１２が並列して掛け渡され、その上側に複数の根太１３が並列して掛け渡され、その各根太１３の上側に床板１４が設けられて構成されている。各小梁１２は、矩形状の大梁１１の内側でその短辺方向に掛け渡して設けられており、各根太１３は、各小梁１２の上方で矩形状の大梁１１の長辺方向に掛け渡して設けられている。実施例１では、各小梁１２は、角型鋼管で形成され、各根太１３は、木材料で形成されて断面が矩形状の長尺な棒状とされている。
【００１７】
床部６では、床板１４の下側において、隣接する２つの根太１３に挟まれるとともに各根太１３が伸びる方向（後述する長尺方向Ｄｌ）に長尺な直方体状の根太間空間１５が形成される。この根太間空間１５は、並列された各小梁１２の上方であって、各根太１３が並列される方向（後述する幅方向Ｄｗ）に並列されて複数形成されている。また、床下空間８では、隣接する２つの小梁１２（両端では大梁１１）に挟まれるとともに各小梁１２が伸びる方向（幅方向Ｄｗ）に長尺な直方体状の梁間空間１６が形成される。この梁間空間１６は、並列された各根太間空間１５の下方であって、各根太間空間１５が並列される方向と直交する方向（長尺方向Ｄｌ）に並列されて複数形成されている。各根太間空間１５すなわち各根太１３の間を利用して、床下空間８に放熱シート２１が設けられる（図１参照）。
【００１８】
放熱シート２１は、図３に示すように、複数の短冊状部２５が並べられて構成されている。短冊状部２５は、全体に長尺な正面視長方形状の板状とされ、その短尺方向に複数が並列されて設けられている。以下では、各短冊状部２５が伸びる方向を長尺方向Ｄｌとし、そこに直交する短尺方向を幅方向Ｄｗとする。また、床部６（床下空間８）では、後述するように、各根太間空間１５が伸びる方向に沿って各短冊状部２５が設けられるので、以下では、各根太間空間１５（各根太１３）が伸びる方向を長尺方向Ｄｌとし、各根太間空間１５（各根太１３）が並列される方向を幅方向Ｄｗとする。各短冊状部２５は、図４に示すように、平板部材２６の上に暖房用配管２３が設けられ、その上に放熱部材２７が設けられて構成される。
【００１９】
平板部材２６は、暖房用配管２３を載せる箇所を構成するとともに、後述するように暖房用配管２３の位置関係を変化させることなく各小梁１２上を滑らせることを可能とする。平板部材２６は、実施例１ではポリプロピレン（ＰＰ）、ポリエチレン（ＰＥ）、ポリカーボネート（ＰＣ）などのプラスチック製のダンボール（通称、「プラダン」）で形成している。
【００２０】
暖房用配管２３は、ヒートポンプ２２から供給される熱媒体を通す配管であり、各平板部材２６上を全体に行き渡るように這い回されて設けられる。暖房用配管２３は、実施例１では、架橋ポリエチレンで形成され、平板部材２６の長尺方向Ｄｌにおける一端側でＵ字状に折り返された折返箇所２３ａが形成されて、平板部材２６上を１往復するものとされている。暖房用配管２３は、平板部材２６の長尺方向Ｄｌにおける他端側で、幅方向Ｄｗで隣接する平板部材２６（短冊状部２５）上に伸びるものとされており（図３参照）、短冊状部２５における熱媒体の出入口となる出入箇所２３ｂが形成されている。このため、暖房用配管２３は、長尺方向Ｄｌの等しい位置で、各折返箇所２３ａが幅方向Ｄｗに並んでいるとともに、各出入箇所２３ｂが幅方向Ｄｗに並んでいる（図３参照）。
【００２１】
放熱部材２７は、熱伝導性の高い熱媒体で形成されており、実施例１ではアルミ材料からなる黒色の薄膜部材（シート）とされている。放熱部材２７は、上記した状態で設けられた暖房用配管２３を平板部材２６との間に挟み込むことで、暖房用配管２３と平板部材２６との位置関係を固定している。放熱部材２７は、暖房用配管２３から発せられた熱を伝導させることで、表面全体から放熱させることができる。
【００２２】
なお、暖房用配管２３は、平板部材２６上に載せられていたが、平板部材２６に設けた溝に嵌め込んでもよく、テープや止具等で平板部材２６に固定したりしてもよく、実施例１の構成に限定されない。また、暖房用配管２３は、幅方向Ｄｗに並べられた各平板部材２６（短冊状部２５）において、各折返箇所２３ａおよび各出入箇所２３ｂがそれぞれ幅方向Ｄｗに並ぶものとされていれば、平板部材２６上での配置は適宜設定すればよく、実施例１の構成に限定されない。
【００２３】
各短冊状部２５（平板部材２６）は、実施例１では、幅方向Ｄｗで根太間空間１５と略等しい寸法とするとともに、長尺方向Ｄｌで根太間空間１５の半分よりも小さな寸法としている。これにより、放熱シート２１は、各根太間空間１５において、幅方向Ｄｗを略埋めるとともに、長尺方向Ｄｌに２つの短冊状部２５を縦に並べる（直列させる）ことができる（図５参照）。
【００２４】
実施例１の放熱シート２１は、図２の床部６に合わせた構成とされており、図３に示すように、長尺方向Ｄｌで対を為す短冊状部２５が幅方向Ｄｗに７つずつ並列されて構成されている。このとき、各平板部材２６は、長尺方向Ｄｌで各出入箇所２３ｂを向き合わせた位置関係とされている。換言すると、放熱シート２１は、幅方向Ｄｗに７つの短冊状部２５が並列された状態で、各出入箇所２３ｂが長尺方向Ｄｌで向き合うように対を為すものとされている。そして、放熱シート２１は、各短冊状部２５に対して単一の暖房用配管２３を用いるものとし、全ての短冊状部２５とヒートポンプ２２との間で単一（一筆書き）の熱媒体の経路（循環路）を形成する。
【００２５】
詳細には、放熱シート２１では、暖房用配管２３（その各出入箇所２３ｂ）が、図３を正面視して、ヒートポンプ２２から右下の短冊状部２５上に伸び、そこから上側へと隣接する短冊状部２５上に順番に伸びるものとしている。このとき、放熱シート２１では、正面視で下側に位置する短冊状部２５の下側の暖房用配管２３と、正面視で上側に位置する短冊状部２５の下側の暖房用配管２３と、が連続するものとしており、それらの間隔よりも各出入箇所２３ｂを長い寸法としている。このため、放熱シート２１では、正面視で上下方向に並ぶ２つの短冊状部２５の間における暖房用配管２３（各出入箇所２３ｂ）の湾曲度合いを緩やかなものとしている。
【００２６】
そして、放熱シート２１では、暖房用配管２３（各出入箇所２３ｂ）が、正面視で右上の短冊状部２５上から正面視で左上の短冊状部２５上へと伸びた後、そこから正面視で下側へと隣接する短冊状部２５上に順番に伸びるものとし、正面視で左下の短冊状部２５上からヒートポンプ２２に伸びるものとしている。このとき、放熱シート２１では、暖房用配管２３において正面視で右上の短冊状部２５上から正面視で左上の短冊状部２５上へと伸びる（両短冊状部２５を掛け渡す）掛渡箇所２３ｃを、両短冊状部２５の間隔よりも長い寸法としている。これにより、暖房用配管２３では、正面視で右上と左上との短冊状部２５上を掛け渡す掛渡箇所２３ｃにおいて、後述するように小梁１２の下方を通して両短冊状部２５を掛け渡すことが可能となる（図６の一番下参照）。暖房用配管２３は、実施例１では、各平板部材２６に対して、折返箇所２３ａおよび出入箇所２３ｂが長尺方向Ｄｌの両側に突出されている。
【００２７】
次に、放熱シート２１を床下空間８に設置する放熱シート床下設置方法について説明する。先ず、各根太間空間１５（隣接する根太１３間）において、図６の一番上に示すように、真ん中の小梁１２の下側から外側に向けて、各短冊状部２５の折返箇所２３ａ側を隣接する小梁１２の上に載せる。そして、図６の真ん中に示すように、各短冊状部２５を小梁１２の上で外側へと滑らせていき、図６の一番下に示すように、各短冊状部２５が３つの小梁１２を掛け渡すように各根太間空間１５に配置する。これを全ての短冊状部２５に対して行うことが、全ての短冊状部２５を各根太間空間１５に挿入する挿入工程となる。このとき、各短冊状部２５は、折返箇所２３ａ側から各根太間空間１５に挿入されて出入箇所２３ｂ側が最後まで各根太間空間１５に挿入されないので、並列された２つの短冊状部２５間を伸びる暖房用配管２３の出入箇所２３ｂにより、挿入が阻害されることが防止されている。また、各出入箇所２３ｂは、可撓性の暖房用配管２３が幅方向Ｄｗで隣り合う短冊状部２５を連続させるものであるので、両短冊状部２５に対する位置の変化が容易であり、各短冊状部２５の挿入を阻害することが防止されている。
【００２８】
この挿入工程により、放熱シート２１は、図５に示すように、床下空間８において、各根太間空間１５に一対の短冊状部２５が直列に設けられる。このとき、隣り合う２つの根太間空間１５に配置された両短冊状部２５では、各出入箇所２３ｂの湾曲度合いを緩やかなものとしているので、根太１３の下方を通して掛け渡すことが可能とされている。また、図５を正面視して右上と左上との根太間空間１５に配置された両短冊状部２５では、掛渡箇所２３ｃを両短冊状部２５の間隔よりも長い寸法としているので、暖房用配管２３の掛渡箇所２３ｃが真ん中の小梁１２の下方を通して掛け渡すことが可能とされている（図６の一番下参照）。このため、放熱シート２１は、挿入工程により各短冊状部２５が根太間空間１５に配置された状態において、そこに配置される前と同様に暖房用配管２３が全ての短冊状部２５とヒートポンプ２２との間で単一（一筆書き）の熱媒体の経路（循環路）を形成できる。
【００２９】
その後、床下空間８において、図７に示すように、各梁間空間１６（隣接する小梁１２（大梁１１）間）に断熱材２８が設けられる。断熱材２８は、各根太間空間１５に設けられた短冊状部２５からの熱を遮断するものであり、実施例１ではグラスウールが用いられている。断熱材２８は、各梁間空間１６を充填するように設けられ、床下空間８側には各短冊状部２５が露出しないようにする。このため、各断熱材２８は、各梁間空間１６に沿って（幅方向Ｄｗに）伸びる長尺な長方形状とされている。これが、各梁間空間１６に断熱材２８を充填する充填工程となる。
【００３０】
その後、床下空間８において、図８および図９に示すように、各断熱材２８（各梁間空間１６）の下方でそれらを掛け渡すように、複数の木桟２９を取り付ける。各木桟２９は、細長い木材であり、実施例１では真ん中の小梁１２から両外側の大梁１１に至る寸法とされている。各木桟２９は、床下空間８において、４つの断熱材２８（梁間空間１６）の下方を掛け渡すように配置され、ビス等を小梁１２に打ちつけることで固定される（図８参照）。これにより、各断熱材２８は、複数の木桟２９により下側から支えられることで、各梁間空間１６内に設けられる（図９参照）。これが、各断熱材２８を支持させるように、各梁間空間１６の下方において、複数の小梁１２を長尺方向Ｄｌに掛け渡しつつ幅方向Ｄｗに並列させて複数の木桟２９を設ける支持工程となる。
【００３１】
この放熱シート床下設置方法により、放熱シート２１は、床板１４の下方で各根太間空間１５に各短冊状部２５が配置されて設けられ、その下方が各木桟２９により支えられた各断熱材２８により覆われた構成（放熱シート床下設置構造）とされて、床下空間８に設けられる。床暖房システム２０では、ヒートポンプ２２からの熱媒体を、各短冊状部２５を通る循環路とされた暖房用配管２３に循環させることで、床部６全体をムラなくかつ効率良く暖めることができる。このとき、床暖房システム２０では、各短冊状部２５の下方が各断熱材２８で覆われているので、熱が床下空間８に漏れることを極力防止でき、各放熱シート２１で放出した熱を効率良く利用できる。
【００３２】
床暖房システム２０は、上記した放熱シート床下設置方法により、放熱シート２１を床下空間８に設けている。その放熱シート床下設置方法では、挿入工程において、単一の暖房用配管２３により各短冊状部２５が連結された状態の放熱シート２１を床下空間８に設けることから、各短冊状部２５の暖房用配管２３を互いに繋げる作業を床下空間８で行う必要がないので、各短冊状部２５の設置を簡易にすることができる。ここで、放熱シート２１は、各短冊状部２５において各折返箇所２３ａで暖房用配管２３が折り返されているので、並列された各根太間空間１５に各折返箇所２３ａ側から各短冊状部２５を挿入することで、並列された２つの短冊状部２５間を伸びる暖房用配管２３の出入箇所２３ｂによる挿入の阻害を防止できる。
【００３３】
また、放熱シート２１は、各出入箇所２３ｂ側で向き合う位置関係として、並列する複数の短冊状部２５を長尺方向Ｄｌで対を為すものとしている。このため、真ん中の根太１３の下方から両外側へと拡げるように各短冊状部２５を各根太間空間１５へと挿入することで、単一の暖房用配管２３により連結された各短冊状部２５が長尺方向Ｄｌで対を為す構成の放熱シート２１を床下空間８に設けることができる。ここで、放熱シート２１は、暖房用配管２３において長尺方向Ｄｌで対を為す２つの短冊状部２５を掛け渡す掛渡箇所２３ｃが、各短冊状部２５の間隔よりも長い寸法とされているので、真ん中の根太１３の下方を通して両短冊状部２５を掛け渡すことができる。このため、放熱シート２１は、掛渡箇所２３ｃによる両短冊状部２５の挿入の阻害を防止しつつ、真ん中の根太１３を挟んだ両側に幅方向Ｄｗに並列する各短冊状部２５を各根太間空間１５に設けることができる。
【００３４】
放熱シート床下設置方法では、挿入工程により床下空間８において各短冊状部２５を各根太間空間１５に挿入し、充填工程により床下空間８において各梁間空間１６に断熱材２８を充填し、支持工程により床下空間８において各小梁１２を長尺方向Ｄｌに掛け渡して各木桟２９を設ける。このため、放熱シート床下設置方法は、上記した構成の床部６に対して、床下空間８での作業で放熱シート２１を設ける（放熱シート床下設置構造を構築する）ことができるので、リフォーム等のように既存の床部６（床下空間８）に対しても容易に設けることができる。これにより、放熱シート床下設置方法は、新築物件や改修物件等の様々な建物に対して、簡易な作業で各短冊状部２５を各根太間空間１５に設けて設置した放熱シート２１を用いた床暖房システム２０を設けることができる。
【００３５】
本開示に係る放熱シート床下設置方法の一実施例の放熱シート床下設置方法は、以下の各作用効果を得ることができる。
【００３６】
放熱シート床下設置方法は、熱媒体を通す単一の暖房用配管２３が互いに掛け渡して設けられた複数の長尺な短冊状部２５が幅方向Ｄｗで並列され、各短冊状部２５において長尺方向Ｄｌの一端側に折返箇所２３ａが設けられるとともに他端側に出入箇所２３ｂが設けられた放熱シート２１を床下空間８に設置する。放熱シート床下設置方法は、長尺方向Ｄｌで並列する複数の小梁１２の上方で、幅方向Ｄｗに並列する複数の根太１３の間の各根太間空間１５に、折返箇所２３ａ側から小梁１２の上を滑らせつつ全ての短冊状部２５を挿入する挿入工程を行う。このため、放熱シート床下設置方法は、挿入工程が、床下空間８において各短冊状部２５を各根太間空間１５に挿入するだけで、各根太間空間１５に各短冊状部２５を設置することができ、その設置を簡易なものにできる。
【００３７】
放熱シート床下設置方法は、挿入工程の後に、小梁１２の間の各梁間空間１６に断熱材２８を充填する充填工程を行う。このため、放熱シート床下設置方法は、充填工程も、床下空間８において各梁間空間１６に断熱材２８を充填するだけであるので、各断熱材２８の設置を簡易としつつ各短冊状部２５からの熱が床下空間８に漏れることを極力防止でき、各放熱シート２１で放出した熱を効率良く利用させることができる。
【００３８】
放熱シート床下設置方法は、充填工程の後に、各梁間空間１６の下方において、複数の小梁１２を長尺方向Ｄｌに掛け渡しつつ幅方向Ｄｗに並列させて複数の木桟２９を設ける支持工程を行う。このため、放熱シート床下設置方法は、支持工程も、床下空間８において各木桟２９を設けるだけであるので、各断熱材２８の支持を簡易にかつ確実なものとしつつ各短冊状部２５からの熱が床下空間８に漏れることを極力防止できる。特に、放熱シート床下設置方法は、各木桟２９を複数の小梁１２を長尺方向Ｄｌに掛け渡して設けているので、幅方向Ｄｗに並列する各木桟２９で複数の断熱材２８を同時に支持させることができ、支持工程をより簡易なものにできる。
【００３９】
放熱シート床下設置方法は、放熱シート２１が、幅方向Ｄｗで並列された複数の短冊状部２５が、長尺方向Ｄｌで出入箇所２３ｂを向き合わせて長尺方向Ｄｌで対を為して設けられているものとする。そして、放熱シート床下設置方法は、挿入工程において、長尺方向Ｄｌで対を為す短冊状部２５を、長尺方向Ｄｌで近接する位置（実施例１では真ん中の小梁１２の下側）から互いに離間するように折返箇所２３ａ側から各根太間空間１５に挿入する。このため、放熱シート床下設置方法は、両外側へと拡げるように各短冊状部２５を各根太間空間１５へと挿入することで、単一の暖房用配管２３により連結された各短冊状部２５が長尺方向Ｄｌで対を為す構成の放熱シート２１を床下空間８に設けることができる。これにより、放熱シート床下設置方法は、より広い範囲であっても、効率良く簡易な作業で各根太間空間１５に各短冊状部２５を設置することができる。
【００４０】
放熱シート床下設置構造は、熱媒体を通す単一の暖房用配管２３が互いに掛け渡して設けられた複数の長尺な短冊状部２５が幅方向Ｄｗで並列され、各短冊状部２５において長尺方向Ｄｌの一端に折返箇所２３ａが設けられるとともに他端に出入箇所２３ｂが設けられた放熱シート２１を用いる。放熱シート床下設置構造は、長尺方向Ｄｌで並列する複数の小梁１２の上方で、幅方向Ｄｗに並列する複数の根太１３の間の各根太間空間１５に、折返箇所２３ａを幅方向Ｄｗに並列させて各短冊状部２５が設置され、小梁１２の間の各梁間空間１６に断熱材２８が充填されている。このため、放熱シート床下設置構造は、簡易な作業での各根太間空間１５への各短冊状部２５の設置が可能であるとともに、各短冊状部２５からの熱が床下空間８に漏れることを極力防止でき、各放熱シート２１で放出した熱を効率良く利用できる。
【００４１】
放熱シート床下設置構造は、各梁間空間１６の下方において、複数の小梁１２を長尺方向Ｄｌに掛け渡しつつ幅方向Ｄｗに並列されて複数の木桟２９が設けられている。このため、放熱シート床下設置構造は、床下空間８において設けた各木桟２９により各梁間空間１６の断熱材２８を支持しているので、各断熱材２８の支持を簡易にかつ確実なものとしつつ各短冊状部２５からの熱が床下空間８に漏れることを極力防止できる。
【００４２】
したがって、本開示の放熱シート床下設置方法では、各短冊状部２５を各根太間空間１５に設置して放熱シート２１を設けることを容易にできる。
【００４３】
以上、本開示の放熱シート床下設置方法を実施例１に基づき説明してきたが、具体的な構成については実施例１に限られるものではなく、特許請求の範囲の各請求項に係る発明の要旨を逸脱しない限り、設計の変更や追加等は許容される。
【００４４】
例えば、実施例１では、長尺方向Ｄｌで対を為しつつ幅方向Ｄｗに７枚の短冊状部２５が並列された計１４枚の短冊状部２５に対して単一の暖房用配管２３が這い回されて、放熱シート２１が構成されている。しかしながら、放熱シート２１は、少なくとも幅方向Ｄｗに複数の短冊状部２５が並列されるとともに単一の暖房用配管２３が這い回されて構成されていれば、短冊状部２５の数や長尺方向Ｄｌで対を為すか否かは適宜設定すればよく、実施例１の構成に限定されない。
【００４５】
また、実施例１では、１４枚の短冊状部２５に対して単一の暖房用配管２３が這い回されて放熱シート２１が構成されている。しかしながら、放熱シート２１は、複数の短冊状部２５に対して単一の暖房用配管２３を用いるものであれば、例えば、実施例１の１４枚の短冊状部２５に対して複数の熱媒体の経路（循環路（一筆書きが複数））を形成するものでもよく、実施例１の構成に限定されない。
【００４６】
さらに、実施例１では、７つの根太間空間１５が幅方向Ｄｗに並列され、かつそれらの下方で８つの梁間空間１６が長尺方向Ｄｌに並列されて、床部６が構成されている。しかしながら、床部６は、複数の根太間空間１５が幅方向Ｄｗに並列され、かつそれらの下方で複数の梁間空間１６が長尺方向Ｄｌに並列されて構成されていれば、根太間空間１５および梁間空間１６の数や位置関係は適宜設定すればよく、実施例１の構成に限定されない。
【符号の説明】
【００４７】
８  床下空間      １２  小梁      １３  根太      １５  根太間空間      １６  梁間空間      ２１  放熱シート      ２３  暖房用配管      ２３ａ  折返箇所      ２３ｂ  出入箇所      ２５  短冊状部      ２８  断熱材      ２９  木桟      Ｄｌ  長尺方向      Ｄｗ  幅方向
【図１】
2020122643.tif 000003
【図２】
2020122643.tif 000004
【図３】
2020122643.tif 000005
【図４】
2020122643.tif 000006
【図５】
2020122643.tif 000007
【図６】
2020122643.tif 000008
【図７】
2020122643.tif 000009
【図８】
2020122643.tif 000010
【図９】
2020122643.tif 000011